(57)【要約】【課題】病院や介護施設の廊下灯やナースセンタから救護区分と要介護状態区分との両方を表示し、患者や被介護人の救護区分と要介護状態区分とを同時に把握できるようにすること。【解決手段】本発明によれば、ナースセンタＮに設けられ、少なくとも患者の氏名を含む患者情報を各患者毎に表示する表示部１０と、病室１〜ｎの出入口近傍の廊下に設けられ、患者情報を各患者毎に表示する患者情報板６とのうちの何れか１つ、または両方を備えたナースコールシステムにおいて、表示部１０および患者情報板６のうちの少なくとも何れかから、患者情報に加えて、対応する患者の要介護状態区分および救護区分を表示する。【選択図】  図４
2005034197.tif 000002
【特許請求の範囲】
【請求項１】
ナースセンタに設けられ、少なくとも患者の氏名を含む患者情報を各患者毎に表示する表示部と、病室の出入口近傍の廊下に設けられ、前記患者情報を各患者毎に表示する廊下灯との何れか１つ、または両方を備えたナースコールシステムにおいて、
前記表示部および前記廊下灯のうちの少なくとも何れかから、前記患者情報に加えて、対応する患者の要介護状態区分および救護区分を表示するようにしたナースコールシステム。
【請求項２】
請求項１に記載のナースコールシステムにおいて、
前記要介護状態区分と前記救護区分とをそれぞれ異なる区分別表示方法としたナースコールシステム。
【発明の詳細な説明】
【０００１】
【発明の属する技術分野】
この発明は、例えば病院や介護施設で使用されるナースコールシステムに関する。
【０００２】
【従来の技術】
一般に、病院はナースセンタと幾つかの病室とからなり、各病室内の患者が看護師に連絡を取ったり、その逆に看護師が患者に連絡を取ったりする方法として、ナースコールシステムが用いられている。介護施設もまたナースセンタと幾つかの介護室とからなり、同様にして各介護室内の被介護者がヘルパーに連絡を取ったり、その逆にヘルパーが被介護者に連絡を取ったりするためにナースコールシステムが用いられている。
【０００３】
しかして、病院の病室や介護施設の介護室の入口付近には、廊下灯が設けられている。この廊下灯は例えば図１２に示す如く、プラスチックまたは鉄製の平板３０の上方に印刷やペン等の手書きにより部屋番号が表示された表示プレート３１が設けられ、その下方一端部に患者や被介護者からのコールなどの有無を外部に知らせる発光ダイオードの如き呼出表示灯３２が取り付けられ、その隣に患者名や被介護者名を記載するネームプレート３３等が設けられてなるものである。そして、例えば呼出表示灯３２の点灯の有無により看護師やヘルパーが患者や被介護者からのコールの有無を知ることができるようになっている。
【０００４】
また、廊下灯には、救護区分３４なるものも表示されている。救護区分とは、病院建築設備法規要覧で定義されているものであって、災害時における患者や被介護者の救護方法を規定しているものである。具体的に、救護区分は、「担送」、「護送」、「独歩」に区分されている。ここで、「担送」とは、担架がなければ救護できない場合、「護送」とは、付添があれば救護できる場合、「独歩」とは、１人で歩ける場合と定義されている。
【０００５】
このような廊下灯における救護区分３４は、色別のプラスチック板からなり、例えば「担送」は赤、「護送」は緑、「独歩」は青などといった色分けによって区分表示されている。
【０００６】
また、このようなプラスチック板による表示に代えて、特許文献１に記載されているような回転式の表示駒を用いたものがある。これは、図１３に示すように、取付フレーム４２の表面側に、ネームプレート取付部４３と、救護区分の表示窓５１とが設けられ、救護区分に対応させて異なる色が施された表示駒４１が表示窓５１の表面側から回転可能に、かつ選択した救護区分の色部分が表示窓５１の位置に保持されるように取り付けられている。そして、表示窓５１から表示する色を、救護区分に対応した色に変更するに際して、表示駒４１を表示窓５１の表面側から手動により回転させることによって、ワンタッチで所望の色による表示を行うようにしたものである。
【０００７】
また、上述したような機械的な表示方法の代わりに、例えば特許文献２に記載されているように、液晶表示画面に救護区分が表示される廊下灯も発明されている。このようなナースコールシステムでは、患者や被介護者の救護区分情報を管理するデータ伝送装置がナースセンタに設置されるとともに、廊下灯にはデータ伝送装置から伝送された救護区分情報を表示する液晶表示画面が備えられている。しかして、データ伝送装置から各患者や各被介護者毎の救護区分情報が、対応する病室や介護室の廊下灯に伝送されると、廊下灯の液晶表示画面から救護区分が表示される。
【０００８】
【特許文献１】
特開２００１−２１５９０５号公報
【０００９】
【特許文献２】
特開平１０−１９２３４９号公報
【００１０】
【発明が解決しようとする課題】
しかしながら、このような従来のナースコールシステムでは、以下のような問題がある。
【００１１】
高齢化社会の到来に伴い、平成９年１２月１７日に、介護保険法が公布された。この法律は、第１条にも記載されているように、加齢に伴って生ずる心身の変化に起因する疾病等により要介護状態となり、入浴、排せつ、食事等の介護、機能訓練並びに看護および療養上の管理その他の医療を要する者等について、これらの者がその有する能力に応じ自立した日常生活を営むことができるよう、必要な保健医療サービスおよび福祉サービスに係る給付を行うため、国民の共同連帯の理念に基づき介護保険制度を設け、その行う保険給付等に関して必要な事項を定め、もって国民の保健医療の向上および福祉の増進を図ることを目的としている。
【００１２】
これを実現するために、第７条では要介護状態が定義されている。すなわち、要介護状態とは、身体上または精神上の障害があるために、入浴、排せつ、食事等の日常生活における基本的な動作の全部または一部について、厚生労働省令で定める期間にわたり継続して、常時介護を要すると見込まれる状態である。
【００１３】
そして、その介護の必要の程度に応じて厚生労働省令で要介護状態区分が定義されている。図１４は、各要介護状態区分における身体の状態と必要な介護サービスの一例をまとめた図である。
【００１４】
すなわち、要介護状態区分は、要介護度１から要介護度５に進むにつれその重度が高くなる。要介護度１とは、立ち上がりや歩行が不安定であって、排泄、入浴などに一部介助が必要な状態をいい、毎日何らかのサービスを必要とする。要介護度２とは、起き上がりが自力では困難であって、排泄、入浴などに一部介助が必要な状態をいい、週３回の日帰り通所サービス等毎日何らかのサービスを必要とする。要介護度３とは、起き上がりが自力では困難であって、排泄、入浴などに全介助が必要な状態をいい、夜間の訪問介護等１日２回のサービスを必要とする。要介護度４とは、排泄、入浴、衣類の着脱等全般について全面的な介助が必要な状態をいい、夜間の訪問介護等２〜３回のサービスを必要とする。要介護度５とは、生活全般について全面的な介助が必要な状態をいい、早朝夜間の訪問介護を含め１日３〜４回のサービスを必要とする。
【００１５】
上述したような要介護認定された患者が病院に入院する場合も当然ありうるために、看護師は、図１４に示すような患者の要介護状態区分に応じた身体の状態、および介護サービスの内容を把握する必要がある。このため、病院の廊下灯やナースセンタには救護区分のみならず要介護状態区分をも表示することが便利なことはいうまでもない。
【００１６】
また、前述したように、救護区分は、災害時における患者や被介護者の救護方法を規定しているものであるので、病院のみならず介護施設においても表示した方が、災害時における救護が効率良くなされると考えられる。
【００１７】
このように、病院、介護施設を問わず、救護区分と要介護状態区分との両方を廊下灯やナースセンタに表示することが好ましい。
【００１８】
本発明はこのような事情に鑑みてなされたものであり、病院や介護施設の廊下灯やナースセンタから救護区分と要介護状態区分との両方を表示するようにし、もって、看護師やヘルパーが患者や被介護人の救護区分と要介護状態区分とを同時に把握することを可能とするナースコールシステムを提供することを目的とする。
【００１９】
【課題を解決するための手段】
上記の目的を達成するために、本発明では、以下のような手段を講じる。
【００２０】
すなわち、請求項１の発明は、ナースセンタに設けられ、少なくとも患者の氏名を含む患者情報を各患者毎に表示する表示部と、病室の出入口近傍の廊下に設けられ、患者情報を各患者毎に表示する廊下灯との何れか一方、またはその両方を備えたナースコールシステムにおいて、表示部および廊下灯のうちの少なくとも何れかから、患者情報に加えて、対応する患者の要介護状態区分および救護区分を表示するようにしている。
【００２１】
従って、請求項１の発明のナースコールシステムにおいては、以上のような手段を講じることにより、病院や介護施設において、ナースセンタおよび廊下灯のうちの少なくとも何れかから、患者や被介護人の要介護状態区分と救護区分との両方を表示することができる。その結果、看護師やヘルパーは、患者や被介護人の要介護状態区分と救護区分との両方を効率良く把握することが可能となる。
【００２２】
請求項２の発明は、請求項１の発明のナースコールシステムにおいて、要介護状態区分と救護区分とをそれぞれ異なる区分別表示方法とする。
【００２３】
従って、請求項２の発明のナースコールシステムにおいては、以上のような手段を講じることにより、例えば要介護状態区分を区分別に異なる数字で表示したり、救護区分を区分別に異なる色で表示することができる。その結果、看護師やヘルパーは、患者や被介護人の救護区分と要介護状態区分とを取り違えることなく、確実に把握することが可能となる。
【００２４】
【発明の実施の形態】
以下に、本発明の各実施の形態について図面を参照しながら説明する。
【００２５】
（第１の実施の形態）
本発明の第１の実施の形態を図１から図１０を用いて説明する。
【００２６】
図１は、第１の実施の形態に係るナースコールシステムの適用例を示す概念図である。なお、本実施の形態では病院に設けられる看護支援用のナースコールシステムを例にとって説明するが、本発明のナースコールシステムは、勿論病院に設けられるものに限定されるものではなく、介護施設等に設けられるナースコールシステムとして適用することも可能である。この場合、病室を介護室、患者を被介護人、看護師をヘルパーと読み替えるものとする。
【００２７】
図１中に示すＡは病棟、Ｎはナースセンタ、１〜ｎは第１〜第ｎの病室で、通常、複数の病室１〜ｎと１つのナースセンタＮで入院患者を対象とした病棟Ａが構成されている。そして、複数の病棟Ａと外来患者に応対する部署全体で病院を構成している。
【００２８】
各病室１〜ｎには少なくとも１人以上の入院患者がいる。また、各病室１〜ｎの出入口５の廊下側の壁には患者用の患者情報板６が設けられ、ナースセンタＮ内のデータ伝送装置７によって作成された種々の患者情報がデジタル回線８を介してデータ信号として所定の患者情報板６に送られ、その情報が表示されるようにしている。
【００２９】
図２は、患者情報板６の一例を示す正面図である。
【００３０】
患者情報板６の正面の枠体６Ｂの内側は表示部６Ａとなっており、表示部６Ａの正面から見て例えば上側には病室１の例えば「３１１号室」の如く部屋番号６ａが、また、その下には患者の氏名６ｃ、救護区分６ｄ、要介護状態区分６ｅがデータ信号によって表示可能とされている。呼出表示灯６ｂは、後述するようにベッド子機１９からの呼び出し信号に基づいて点灯するようにしている。救護区分６ｄおよび要介護状態区分６ｅは、例えば図３に示すように、それぞれ区分毎に色分けや、数字別等によって区分表示している。例えば、救護区分については図３（ａ）に示すように色分け表示し、要介護状態区分については図３（ｂ）に示すように数字別表示するように、救護区分の表示方法と、要介護状態区分の表示方法とを別にすることによって、互いを取り違えられて認識されることなく、正しく認識されるようにしている。
【００３１】
図４は、ナースセンタＮ側のデータ伝送装置７および患者情報板６などの一例を示す概略構成図である。
【００３２】
すなわち、データ伝送装置７は、キーボードやマウス、あるいは所謂ペン入力液晶ディスプレイなどからなる入力装置９を備えている。このペン入力液晶ディスプレイは、液晶パネルと入力ペンの位置検出装置が一体となっており、紙の上に文字を書くようにペンで液晶ディスプレイ上をなぞることによってコンピュータ操作ができるものである。また、データ伝送装置７は、入力装置９による入力、および後述するように記憶部１２に記憶された患者情報を画面上に一覧表示する表示部１０と、入力装置９によって作成された患者情報をＣＰＵ１１を介して記憶する記憶部１２とを備えている。
【００３３】
入力装置９では、図２に示した部屋番号６ａ、氏名６ｃ、救護区分６ｄ、および要介護状態区分６ｅからなる患者情報や、看護師からの指令が入力される。
【００３４】
ＣＰＵ１１は、この入力された患者情報を、デジタル回線８を介してデータ信号として対応する患者情報板６へ送出し、患者情報板６から表示させる。また、この入力された患者情報を一旦記憶部１２に記憶させる。この記憶部１２に記憶された患者情報は、ＣＰＵ１１によって表示部１０へと出力され、表示部１０から表示されるようにしている。
【００３５】
図５（ａ）は、表示部１０から表示された画面の一例を示す模式図である。
【００３６】
すなわち、表示部１０は、入力情報表示部Ｅと患者情報一覧表示部Ｆとを備えている。そして、入力情報表示部Ｅからは、入力装置９から入力された患者情報が表示されるようにしている。例えば、入力装置９から患者情報として部屋番号が「３１１号室」、氏名が「加藤信子」、救護区分が「独歩」、要介護状態区分が「１」と入力された場合には、入力情報表示部Ｅは、図５（ａ）に示すように表示する。
【００３７】
また、患者情報一覧表示部Ｆからは、記憶部１２に記憶された各患者情報が、患者情報板６と同じ書式で一覧表示されるようにしている。すなわち、入力装置９から入力された「加藤信子」さんの患者情報は、図５（ｂ）に拡大表示するように、部屋番号６ａとして「３１１号室」、氏名６ｃとして「加藤信子」、救護区分６ｄとして「独歩」を意味する青色表示、要介護状態区分６ｅとして「１」と表示する。
【００３８】
患者情報板６は、指１７のタッチにより動作させるタッチパネル部１３、情報を表示する好ましくはカラー液晶からなる液晶パネル部１４、液晶パネル部１４の画面を照明するバックライト部１５、およびそれらを制御する制御部１６などを備えており、データ伝送装置７からデジタル回線８を介して送出されたデータ信号により制御部１６を介しバックライト部１５および液晶パネル部１４を動作させ、対応する患者情報を表示させるようにしている。
【００３９】
また、患者情報板６は表示部６Ａの表面にタッチパネル部１３が設けられており、このタッチパネル部１３を指１７でタッチすることによって、普段消灯している状態から点灯させ、表示の有無を行わせることができる。
【００４０】
一方、病室１〜ｎには患者用のベッド１８があり、このベッド１８にはナースセンタＮに連絡をするための呼び出し用の押し釦スイッチの如きベッド子機１９が設置され、ベッド子機１９からの配線２０は病室１〜ｎの壁に配置された分電盤のような電気的接続用のウォールユニット２２および配線２３を介し制御部１６へ送られ、液晶パネル部１４の呼出表示灯６ｂを点灯させるようにしている。これによって、例えば廊下を歩いている看護師は、病室１〜ｎ内の何れかの患者から呼び出しがあったことを把握する。
【００４１】
図６は、ベッド子機１９の一例を示す外形図である。
【００４２】
図６に示すようなベッド子機１９は、通常、ハンド子機とも呼ばれ、中央にオン・オフ可能な押し釦スイッチ１９ａを備えている。また、握り釦スイッチ１９ｂが設けられているタイプのものもある。なお、図６において１９ｃは、図４において示したウォールユニット２２に設けられたジャック（図示せず）に対し着脱自在なプラグである。
【００４３】
図７は、ベッド１８上の患者２０Ａがベッド子機１９を操作している状態を示す図である。また、図８は、患者が、握りしめていた握り釦スイッチ１９ｂを操作している状態を示す図である。
【００４４】
図８に示すようにして握り釦スイッチ１９ｂがオンされると、図４に示したように配線２３を介して患者情報板６の制御部１６へオン信号が、ベッド子機１９の識別情報とともに送られ、表示部６Ａを構成する液晶パネル部１４の呼出表示灯６ｂが点灯するようにしている。
【００４５】
図９は、制御部１６の構成例を示す機能ブロック図である。
【００４６】
制御部１６は、デジタル回線８を介して送信されたデータ信号に応じて所望の表示を行わせるべく信号を処理するデータ信号処理回路２４と、このデータ信号処理回路２４からの信号が送出され動作する液晶パネル・バックライト駆動回路２５と、この液晶パネル・バックライト駆動回路２５からの信号が送出され、所定時間液晶パネル部１４やバックライト部１５を動作させるべく信号を送出するタイマー回路２６を備えている。また、液晶パネル・バックライト駆動回路２５には配線２３を介し押し釦スイッチ１９ａ、握り釦スイッチ１９ｂからのオン信号が対応するベッド子機１９の識別情報とともに送られ、対応する患者の呼出表示灯６ｂを動作させるように構成している。
【００４７】
また、制御部１６は、このオン信号および識別情報を、デジタル回線８を介してデータ伝送装置７のＣＰＵ１１へと送出する。すると、ＣＰＵ１１は、この識別番号からベッド番号を特定する。そして、記憶部１２に記憶された患者情報に基づいて、特定したベッド番号に対応する患者を特定し、表示部１０の患者情報一覧表示部Ｆにおいて、特定された患者に対応する呼出表示灯６ｂを点灯させる。
【００４８】
更に、制御部１６には、タッチパネル部１３が指１７によってタッチされたことを検出し、液晶パネル・バックライト駆動回路２５へ信号を送り、タイマー回路２６を介して所定時間、患者情報を表示させるようにする検出回路２７を備えている。
【００４９】
次に、以上のように構成した本実施の形態に係るナースコールシステムのナースセンタＮに備えられたデータ伝送装置７の表示部１０や、廊下に備えられた患者情報板６から患者情報が表示される場合の動作について図１０に示すフローチャートを用いて説明する。
【００５０】
まず、看護師あるいはオペレータによって、ナースセンタＮに備えられたデータ伝送装置７の入力装置９から、各患者毎の患者情報が入力される（Ｓ１）。患者情報とは、患者の部屋番号６ａ、氏名６ｃ、救護区分６ｄ、および要介護状態区分６ｅを含む情報である。入力装置９には、キーボードやマウス、あるいは所謂ペン入力液晶ディスプレイなどが備えられているので、看護師あるいはオペレータが、これらの入力手段を用いることによって、上記患者情報が入力される。入力中の患者情報は、図５に示すように、表示部１０の入力情報表示部Ｅから同時に表示される。看護師あるいはオペレータは、この入力情報表示部Ｅから表示される患者情報を見ながら入力することによって、正しい患者情報が確実に入力される。
【００５１】
このようにして入力装置９から患者情報が入力されると、入力された患者情報のデータ信号は、ＣＰＵ１１によって、デジタル回線８を介して対応する患者情報板６へと送出される（Ｓ２）。
【００５２】
そして、患者情報の送出先の患者情報板６では、データ信号処理回路２４によって、送出されたデータ信号に応じた信号処理がなされ、液晶パネル・バックライト駆動回路２５が駆動される。これによって、表示部６Ａから、対応する患者情報が表示される状態となる（Ｓ３）。
【００５３】
この状態で患者情報板６のタッチパネル部１３が指１７によってタッチされる（Ｓ４：Ｙｅｓ）と、以下に示すようにして、表示部６Ａが、普段消灯している状態から点灯され、患者情報が表示される（Ｓ５）。
【００５４】
すなわち、タッチパネル部１３が指１７によってタッチされると、それが検出回路２７によって検出され、検出回路２７から液晶パネル・バックライト駆動回路２５へと信号が送られる。これによって、タイマー回路２６によってバックライト部１５が所定時間動作され、液晶パネル部１４がバックライト部１５によって所定時間照明され、図２に示すように、患者情報板６の表示部６Ａから部屋番号６ａ、患者の氏名６ｃ、救護区分６ｄ、要介護状態区分６ｅが表示される。
【００５５】
このように患者情報板６から患者情報が表示される場合、救護区分６ｄおよび要介護状態区分６ｅは、例えば図３に示すように、それぞれ区分毎に色分けや、数字別等によって区分表示される。このように、救護区分と要介護状態とが別々の方法によって表示されることによって、互いを取り違えられて認識されることなく、患者の救護区分と要介護状態区分とが正しく認識される。これによって、看護師によって、患者の要介護状態区分に応じた身体の状態や、介護サービスの内容が正しく把握される。また、万が一、災害が発生した場合であっても、患者の救護区分が看護師や救護員によって正しく把握され、迅速でかつ安全なる救護がなされる。
【００５６】
一方、ステップＳ１において入力装置９から入力された患者情報はまた、ＣＰＵ１１によって記憶部１２へと出力され、記憶部１２に記憶される（Ｓ６）。更に、この記憶された患者情報は、ＣＰＵ１１によって表示部１０へと出力される。これによって、表示部１０の患者情報一覧表示部Ｆからは、図５に示すように、記憶部１２に記憶された各患者情報が、患者情報板６と同様の型式で一覧表示される（Ｓ７）。
【００５７】
このようにナースセンタＮに備えられたデータ伝送装置７の表示部１０から患者情報が表示される場合もまた、救護区分６ｄおよび要介護状態区分６ｅは、それぞれ区分毎に色分けや、数字別等によって区分表示される。このように、救護区分と要介護状態とが、患者情報板６と同様に別々の方法によって表示されているので、救護区分と要介護状態区分とを取り違えられて認識されることなく正しく認識される。これによって、看護師によって、患者の要介護状態区分に応じた身体の状態や、介護サービスの内容が正しく把握される。また、万が一、災害が発生した場合であっても、患者の救護区分が看護師や救護員によって正しく把握され、迅速でかつ安全なる救護がなされる。
【００５８】
なお、表示部６Ａおよび表示部１０の呼出表示灯６ｂは、患者がベッド１８に備えられたベッド子機１９からオン信号が送出された場合に点灯する。すなわち、患者は、ナースセンタＮに連絡したい場合には、ベッド子機１９の押し釦スイッチ１９ａまたは握り釦スイッチ１９ｂを押す。これによってベッド子機１９からのオン信号がこのベッド子機１９の識別情報とともに配線２０を介してウォールユニット２２へ送られ、更にそこから配線２３を介して患者情報板６の制御部１６へと送られる。このように制御部１６へオン信号およびベッド子機１９の識別情報が送られると、制御部１６によって対応する患者情報の呼出表示灯６ｂが点灯される。これによって、患者から呼び出しがあったことが、例えば廊下を歩いている看護師によって把握される。
【００５９】
更にこのオン信号および識別情報は、制御部１６からデジタル回線８を介してデータ伝送装置７のＣＰＵ１１へと送出される。すると、ＣＰＵ１１によって、この識別番号からベッド番号が特定され、更に、記憶部１２に記憶された患者情報に基づいて、特定したベッド番号に対応する患者が特定され、表示部１０の患者情報一覧表示部Ｆから表示されている患者情報において、特定された患者に対応する呼出表示灯６ｂが点灯される。これによって、患者から呼出があったことが、ナースセンタＮの看護師によって把握される。
【００６０】
上述したように、本実施の形態に係るナースコールシステムにおいては、上記のような作用により、病院や介護施設において、ナースセンタおよび廊下灯から、患者や被介護人の要介護状態区分と救護区分との両方を表示することができる。
【００６１】
救護区分および要介護状態区分は、それぞれ区分毎に色分けや、数字別等によって別々の方法によって区分表示されることから、互いを取り違えることなく正しく認識することができる。よって、看護師やヘルパーによって、患者や被介護人の要介護状態区分に応じた身体の状態や、介護サービスの内容を正しく把握することができ、適切な処置を確実に施すことが可能となる。
【００６２】
また、万が一、災害が発生した場合であっても、患者の救護区分が看護師やヘルパー、あるいは救護員によって正しく把握されるために、迅速でかつ安全なる救護を実現することが可能となる。
【００６３】
（第２の実施の形態）
本発明の第２の実施の形態を図１１を用いて説明する。
【００６４】
第１の実施の形態では、デジタルデータである患者情報に基づいて廊下に設置される患者情報板６の表示部６Ａや、ナースセンタＮに設置されるデータ伝送装置７の表示部１０から、救護区分と要介護状態区分とを患者氏名とともに表示させる例について説明したが、本発明のナースコールシステムは、このような構成に限定されるものではなく、本実施の形態の様にしても実現できるものである。
【００６５】
図１１は、このような本実施の形態に係るナースコールシステムに適用される患者情報板４０の一例を示す構成図であり、図１２と同一部分には同一符号を付してその説明を省略し、ここでは異なる部分についてのみ述べる。
【００６６】
すなわち、本実施の形態に係る患者情報板４０は、第１の実施の形態と同様に病室１〜ｎの出入口５近傍の廊下や、ナースセンタＮに設置されるものであって、プラスチックまたは鉄製の平板３０に、印刷やペン等の手書きにより部屋番号および患者氏名が表示された表示プレート３１およびネームプレート３３を設け、左端部側に患者や被介護者からのコールなどの有無を外部に知らせる発光ダイオードの如き呼出表示灯６ｂを取り付け、更に、呼出表示灯６ｂの下部側に印刷やペン等の手書きにより救護区分および要介護状態区分が表示された表示板３６，３８を設けている。
【００６７】
表示板３６に表示される救護区分と、表示板３８に表示される要介護状態区分とは、第１の実施の形態で説明したように、それぞれ区分毎に色分けや、数字別等によって区分表示するようにしている。例えば、救護区分については図３（ａ）に示すように色分け表示し、要介護状態区分については図３（ｂ）に示すように数字別表示する。これによって、救護区分と要介護状態区分とが取り違えられて認識されることなく、正しく認識されるようにしている。
【００６８】
また、このような表示板３６，３８に代えて、特許文献１に記載されているような回転式の表示駒を用いるようにしても良い。
【００６９】
なお、呼出表示灯６ｂは、第１の実施の形態で説明したように、ベッド子機１９側からのオン信号が送出されると、このオン信号とともに送出される識別番号に基づいて、対応する患者のものが点灯する。
【００７０】
上述したような本実施の形態に係るナースコールシステムにおいてもまた、第１の実施の形態と同様の作用効果を奏することができる。
【００７１】
更に、本実施の形態では、病室１〜ｎの出入口５近傍の廊下やナースセンタＮに、印刷やペン等の手書きにより記載された部屋番号、患者名、救護区分、および要介護状態区分が明記された表示プレート３１、ネームプレート３３、表示板３６、および表示板３８が配置されているので、デジタルデータである患者情報に基づいて患者情報の表示を行う第１の実施の形態に係るナースコールシステムに比べて安価に実現することができる。
【００７２】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００７３】
【発明の効果】
以上説明したように、本発明によれば、病院や介護施設の廊下灯やナースセンタから救護区分と要介護状態区分との両方を表示することができる。
【００７４】
以上により、看護師やヘルパーが患者や被介護人の救護区分と要介護状態区分とを同時に把握することを可能とするナースコールシステムを実現することができる。
【図面の簡単な説明】
【図１】第１の実施の形態に係るナースコールシステムの適用例を示す概念図。
【図２】患者情報板の一例を示す正面図。
【図３】救護区分に応じた色別表示方法の一例と、要介護状態区分に応じた数字別表示方法の一例とを示す図。
【図４】ナースセンタ側のデータ伝送装置と病室側の患者情報板との接続関係の一例を示す概略構成図。
【図５】表示部から表示された画面の一例を示す模式図と患者情報の拡大図。
【図６】ベッド子機の一例を示す外形図。
【図７】ベッド上の患者がベッド子機を操作している状態を示す図。
【図８】患者が、握りしめていた握り釦スイッチを操作している状態を示す図。
【図９】制御部の構成例を示す機能ブロック図。
【図１０】第１の実施の形態に係るナースコールシステムのデータ伝送装置の表示部や、廊下に備えられた患者情報板から患者情報が表示される場合の動作例を示すフローチャート。
【図１１】第２の実施の形態に係るナースコールシステムに適用される患者情報板の一例を示す構成図。
【図１２】従来技術による廊下灯の一例を示す平面図。
【図１３】特許文献１に記載されている回転式の表示駒が用いられた表示灯を示す平面図。
【図１４】各要介護状態区分における身体の状態と必要な介護サービスの一例をまとめた図。
【符号の説明】
Ｎ…ナースセンタ、Ａ…病棟、Ｅ…入力情報表示部、Ｆ…患者情報一覧表示部、１〜ｎ…病室、５…出入口、６…患者情報板、６Ａ…表示部、６Ｂ…枠体、６ａ…部屋番号、６ｂ…呼出表示灯、６ｃ…氏名、６ｄ…救護区分、６ｅ…要介護状態区分、７…データ伝送装置、８…デジタル回線、９…入力装置、１０…表示部、１１…ＣＰＵ、１２…記憶部、１３…タッチパネル部、１４…液晶パネル部、１５…バックライト部、１６…制御部、１７…指、１８…ベッド、１９…ベッド子機、１９ａ…釦スイッチ、１９ｂ…握り釦スイッチ、２０，２３…配線、２０Ａ…患者、２２…ウォールユニット、２４…データ信号処理回路、２５…液晶パネル・バックライト駆動回路、２６…タイマー回路、２７…検出回路、３０…平板、３１…表示プレート、３２…呼出表示灯、３３…ネームプレート、３４…救護区分、３６，３８…表示板、４０…患者情報板、４１…表示駒、４２…取付フレーム、４３…ネームプレート取付部、５１…表示窓
【図１】
2005034197.tif 000003
【図２】
2005034197.tif 000004
【図３】
2005034197.tif 000005
【図４】
2005034197.tif 000006
【図５】
2005034197.tif 000007
【図６】
2005034197.tif 000008
【図７】
2005034197.tif 000009
【図８】
2005034197.tif 000010
【図９】
2005034197.tif 000011
【図１０】
2005034197.tif 000012
【図１１】
2005034197.tif 000013
【図１２】
2005034197.tif 000014
【図１３】
2005034197.tif 000015
【図１４】
2005034197.tif 000016